(57)【特許請求の範囲】
【請求項１】
発光ダイオードを基板に実装して成る発光部と、前記発光部を収納する直管形状の管体と、前記管体の長手方向における両端に設けられ、且つソケットに機械的に保持されるランプピンを有して前記ソケットに装着される保持用口金と、前記ソケットを介した経路とは異なる給電経路で前記発光部に点灯電力を給電するための接続部とを備え、前記保持用口金のうち何れか一方には、前記給電経路を開閉するインターロックスイッチが設けられた光源と、１対の前記ソケットと、前記各ソケットを支持するとともに前記発光部に点灯電力を供給する点灯装置を収納する器具本体とを備え、
前記各ソケットには、前記ランプピンが挿入されるピン挿通孔が設けられ、且つ前記ランプピンが前記ピン挿通孔に挿入された状態で前記光源をその軸を中心として回動することで前記ランプピンを機械的に保持する機構を有し、
前記ソケットには、前記光源の軸を中心とする回動に伴って前記インターロックスイッチが摺動する傾斜面を有する突部が設けられ、
前記インターロックスイッチは、前記保持用口金が前記ソケットに装着されて、前記突部の頂部に押圧されると前記給電経路を閉成することを特徴とする照明装置。
【請求項２】
前記接続部の低圧側の電極に前記インターロックスイッチが接続されることを特徴とする請求項１記載の照明装置。
【発明の詳細な説明】
【技術分野】
【０００１】
本発明は、蛍光灯とは異なる光源を用いた照明装置に関する。
【背景技術】
【０００２】
近年、既存の蛍光灯用照明器具に取り付け可能な蛍光灯型の発光ダイオードランプ（以下、「ＬＥＤランプ」と呼ぶ）が、蛍光灯の代替光源として市場に出てきており、例えば特許文献１に開示されている。特許文献１に記載のＬＥＤラインランプは、長尺で上下２枚のアルミ製板体よりなる基台の上下面に多数のチップＬＥＤを並列して実装し、該基台の両端に蛍光灯用口金を装着している。また、基台の一端に電源接続用のリード線を設け、他端に自動販売機に設けたＬＥＤ電源（コンバーター）に接続するリード線を設けている。
【先行技術文献】
【特許文献】
【０００３】
【特許文献１】特開２０１０−１２３０９７号公報
【発明の概要】
【発明が解決しようとする課題】
【０００４】
ところで、従来の直管型の蛍光灯では、その両端の口金を器具本体に設けられるソケットに装着しない限りは蛍光灯に点灯電力が給電されることはなかったが、上記従来例のようなＬＥＤランプの場合には以下の問題が生じ得る。すなわち、ＬＥＤランプの両端の口金は、あくまで自身をソケットに機械的に保持させるためのものであり、ＬＥＤランプには、その管体に内蔵されるＬＥＤチップ等から成る発光部に点灯電力を給電するためのコネクタが別途設けられる。
【０００５】
したがって、コネクタをＬＥＤランプに接続した状態では、ＬＥＤランプをソケットに装着する前にＬＥＤランプが点灯してしまい、その発熱によりＬＥＤランプを手で持ち難く、ＬＥＤランプをソケットに装着する作業が困難になるという問題があった。
【０００６】
本発明は、上記の点に鑑みて為されたもので、給電用のコネクタが接続されている状態で、ソケットに装着されるまでの間は発光部に点灯電力が供給されるのを防ぐことのできる照明装置を提供することを目的とする。
【課題を解決するための手段】
【０００７】
本発明の照明装置は、発光ダイオードを基板に実装して成る発光部と、前記発光部を収納する直管形状の管体と、前記管体の長手方向における両端に設けられ、且つソケットに機械的に保持されるランプピンを有して前記ソケットに装着される保持用口金と、前記ソケットを介した経路とは異なる給電経路で前記発光部に点灯電力を給電するための接続部とを備え、前記保持用口金のうち何れか一方には、前記給電経路を開閉するインターロックスイッチが設けられた光源と、１対の前記ソケットと、前記各ソケットを支持するとともに前記発光部に点灯電力を供給する点灯装置を収納する器具本体とを備え、前記各ソケットには、前記ランプピンが挿入されるピン挿通孔が設けられ、且つ前記ランプピンが前記ピン挿通孔に挿入された状態で前記光源をその軸を中心として回動することで前記ランプピンを機械的に保持する機構を有し、前記ソケットには、前記光源の軸を中心とする回動に伴って前記インターロックスイッチが摺動する傾斜面を有する突部が設けられ、前記インターロックスイッチは、前記保持用口金が前記ソケットに装着されて、前記突部の頂部に押圧されると前記給電経路を閉成することを特徴とする。
【０００８】
この照明装置において、前記接続部の低圧側の電極に前記インターロックスイッチが接続されることが好ましい。
【発明の効果】
【００１１】
本発明は、給電用のコネクタが接続されている状態で、ソケットに装着されるまでの間は発光部に点灯電力が供給されるのを防ぐことができるという効果を奏する。
【図面の簡単な説明】
【００１２】
【図１】本発明に係る照明装置の実施形態１を示す図で、（ａ）は要部拡大図で、（ｂ）は全体概略図である。
【図２】同上の照明装置を示す全体斜視図である。
【図３】本発明に係る照明装置の実施形態２を示す図で、（ａ）は器具本体を省略したＬＥＤランプ装着前の全体斜視図で、（ｂ）はソケットの要部拡大図で、（ｃ）はＬＥＤランプの要部拡大図である。
【図４】本発明に係る照明装置の実施形態３を示す図で、（ａ）は器具本体を省略したＬＥＤランプ装着前の全体斜視図で、（ｂ）はソケットの分解斜視図である。
【発明を実施するための形態】
【００１３】
（実施形態１）
以下、本発明に係る照明装置の実施形態１について図面を用いて説明する。なお、以下の説明では、図２における上下を上下方向と定めるものとする。本実施形態は、図１，２に示すように、ＬＥＤランプ１（光源）と、その長手方向の両端に設けられた１対の保持用口金１１が装着される１対のソケット２０を支持する器具本体２とを備える。
【００１４】
ＬＥＤランプ１は、図１，２に示すように、複数のＬＥＤチップ（図示せず）を長尺板状の基板（図示せず）に実装して成る発光部１０を直管形状の管体１１に収納して成る。そして、管体１１の長手方向の両端部には、それぞれ各ソケット２０に装着される保持用口金１２が設けられており、各保持用口金１２からはそれぞれ丸棒状の１対のダミーピン（ランプピン）１２Ａが突出して設けられている。ここで、各保持用口金１２及び各ダミーピン１２Ａは、単に各ソケット２０に装着できるように構成されているものであり、各保持用口金１２及び各ダミーピン１２Ａと基板とは互いに電気的に絶縁されている。したがって、ＬＥＤランプ１を各ソケット２０に装着するだけでは、各保持用口金１２及びダミーピン１２Ａを介して発光部１０に点灯電力が給電されることはない。なお、各保持用口金１２としては、従来の蛍光灯用の口金（例えば、Ｇ１３口金）が用いることができる。
【００１５】
発光部１０のＬＥＤチップは、ＬＥＤランプ１を各ソケット２０に装着した際に光が下方に出射されるように、基板の下面に実装される。そして、基板の上面及び下面には、各ＬＥＤチップを直列又は並列、若しくは直列と並列とを組み合わせて接続する配線（図示せず）が設けられ、当該配線と電気的に接続された接続部１１Ａが一方の保持用口金１２の近傍に位置するように設けられている。接続部１１Ａには、後述する器具本体２の給電用のコネクタ２１が接続される。
【００１６】
ＬＥＤランプ１の外周面のうち上半分は、図１（ａ）に示すように、ＬＥＤランプ１の長手方向に沿った長尺のフィン１３Ａが複数一体に形成されて成るシート状のヒートシンク１３で覆われている。これにより、ＬＥＤチップの発光により発光部１０から発せられる熱をヒートシンク１３を介して外部へと放熱している。
【００１７】
器具本体２は、図２に示すように、ＬＥＤランプ１の長手方向に沿って長尺な箱形に形成される。器具本体２の内部には、図１（ｂ）に示すように、商用電源ＡＣ１に接続されて発光部１０に点灯電力を供給する点灯装置Ａ１が収納される。なお、本実施形態の器具本体２は、既存の蛍光灯用照明器具を改造したものであって、器具本体２の内部からは予め蛍光灯用の点灯装置が取り外され、代わりに点灯装置Ａ１が収納されている。器具本体２の下面からは、点灯装置Ａ１からの給電用のケーブル（図示せず）が引き出され、その端部には、ＬＥＤランプ１の接続部１１Ａに着脱自在に接続される給電用のコネクタ２１が設けられている。このコネクタ２１を接続部１１Ａに接続することで、コネクタ２１及び接続部１１Ａを介して点灯装置Ａ１からＬＥＤランプ１の発光部１０への給電経路の一部が確立するようになっている。
【００１８】
また、器具本体２の下面には、図２に示すように、その長手方向の両端に各々ソケット２０が設けられている。各ソケット２０は、既存の蛍光灯用照明器具に用いられるもので、その内部には、ＬＥＤランプ１の各ダミーピン１２Ａを機械的に保持する１対の端子部（図示せず）が設けられている。なお、各端子部は各ダミーピン１２Ａを機械的に保持するのみであって、各ソケット２０にＬＥＤランプ１の各保持用口金１２を装着しても、ＬＥＤランプ１と点灯装置Ａ１とは電気的に接続されない。
【００１９】
ＬＥＤランプ１の一方の保持用口金１２におけるソケット２０との対向面には、図１（ａ）に示すように、各ダミーピン１２Ａの中間にて突出する形でインターロックスイッチ１４が設けられている。インターロックスイッチ１４は、棒状の軸部１４Ａと、軸部１４Ａの先端に設けられる押釦部１４Ｂと、押釦部１４Ｂを押し込むと点灯装置Ａ１からＬＥＤランプ１への給電経路を閉成する接点部１４Ｃとで構成される。軸部１４Ａには、その外周面を覆うようにして押釦部１４Ｂを押し込み向きと逆向きに付勢する付勢ばね１４Ｄが設けられている。
【００２０】
接点部１４Ｃは、例えばマイクロスイッチから成り、図１（ｂ）に示すように、発光部１０と接続部１１Ａの負極との間に設けられている。そして、接点部１４Ｃでは、押釦部１４Ｂが押し込まれると接点が閉成し、発光部１０と接続部１１Ａとの間の給電経路を閉成するようになっている。また、接点部１４Ｃでは、押釦部１４Ｂへの押し込みが解除されると、接点が開成して発光部１０と接続部１１Ａとの間の給電経路を開成するようになっている。なお、接点部１４Ｃは、発光部１０と接続部１１Ａの正極との間に設けてもよいが、負極（すなわち低圧側の電極）との間に設けることで、接点の開閉に伴うアーク放電の発生を防止することができ、望ましい。
【００２１】
以下、本実施形態におけるＬＥＤランプ１の装着方法について説明する。先ず、器具本体２のコネクタ２１をＬＥＤランプ１の接続部１１Ａに接続する。この時点では、インターロックスイッチ１４の押釦部１４Ｂは、付勢ばね１４Ｄの付勢力により押し込み向きと逆向きに付勢されているため、接点部１４Ｃは開成している。したがって、点灯装置Ａ１からＬＥＤランプ１の発光部１０への給電経路が一部しか確立していないので、発光部１０が点灯することはない。
【００２２】
次に、ＬＥＤランプ１の各保持用口金１２を各ソケット２０に装着する。ここで、各保持用口金１２のうち一方の口金１２には、上述のようにインターロックスイッチ１４が設けられており、装着時にソケット２０によって押釦部１４Ｂが付勢ばね１４Ｄの付勢力に抗って押し込まれる。すると、接点部１４Ｃが閉成するため、点灯装置Ａ１からＬＥＤランプ１の発光部１０への給電経路が確立し、発光部１０が点灯する。
【００２３】
上述のように、本実施形態では、コネクタ２１が接続部１１Ａに接続されていたとしても、インターロックスイッチ１４の押釦部１４Ｂが押し込まれない限りは点灯装置Ａ１から発光部１０へ点灯電力が供給されることがない。すなわち、本実施形態では、給電用のコネクタ２１が接続されている状態で、ＬＥＤランプ１がソケット２０に装着されるまでの間は発光部１０に点灯電力が供給されるのを防ぐことができる。このため、ＬＥＤランプ１をソケット２０に装着する前にＬＥＤランプ１が点灯することがなく、ＬＥＤランプ１の発熱によりＬＥＤランプ１を手で持ち難く、ＬＥＤランプ１をソケット２０に装着する作業が困難になるという問題が生じ得ない。
【００２４】
（実施形態２）
以下、本発明に係る照明装置の実施形態２について図面を用いて説明する。但し、本実施形態の基本的な構成は実施形態１と共通であるので、共通する部位には同一の番号を付して説明を省略する。また、以下のソケット３の説明では、図３（ａ）に示す矢印の向きにより上下左右方向、及び前後方向を定めるものとする。本実施形態は、図３（ａ），（ｂ）に示すように、実施形態１のソケット２０の代わりに回転式のソケット３を用いている。また、本実施形態のＬＥＤランプ１では、図３（ｃ）に示すように、各ダミーピン１２Ａの中間よりも何れか一方のダミーピン１２Ａに近い位置にインターロックスイッチ１４を設けている。このようにインターロックスイッチ１４を軸からずらして配置することで、ＬＥＤランプ１を時計回りに回動した際に、インターロックスイッチ１４も時計回りに回動するようになっている。
【００２５】
ソケット３は、図３（ａ），（ｂ）に示すように、器体３０と、回転子３２と、１対の端子部（図示せず）とから構成される。器体３０の前面の下端部には平面視円形状の開口３０Ａが設けられており、当該開口３０Ａの中央部の内底面からは、回転子３２を保持するための円筒状の回転子保持筒３１が前方に向かって突出する形で設けられている。回転子保持筒３１には、上下方向に沿って貫通するとともに、ＬＥＤランプ１の各ダミーピン１２Ａが上下方向に沿って挿入可能な幅寸法を有するスリット３１Ａが設けられている。また、器体３０上側の左右方向における両端部には、器具本体２にソケット３を取り付けるための係止爪３０Ｃが設けられている。同じく、器体３０上部の左右方向における両端部には、器具本体２にソケット３を取り付けるための取付溝３０Ｄが前後方向に沿って設けられている。
【００２６】
回転子保持筒３１の壁部には、図３（ｂ）に示すように、前方に突出する三角形状の１対（図示では１つ）の突部３１Ｂが対向する形で一体に形成されている。各突部３１Ｂにおける傾斜面３１Ｃは、ＬＥＤランプ１を回動する際にインターロックスイッチ１４を突部３１Ｂの頂部へと案内する機能を果たしている。
【００２７】
回転子３２は、図３（ｂ）に示すように円筒状に形成され、器体３０と第１の回転子保持筒３１との間で回動自在に保持される。回転子３２の前部には、保持用口金１２と当接する円盤状の受金部３２Ａが一体に形成されている。回転子３２には、受金部３２Ａを含めて上下方向に貫通するとともに、ＬＥＤランプ１の各ダミーピン１２Ａが上下方向に沿って挿入可能な幅寸法を有するスリット３２Ｂが設けられている。このスリット３２Ｂと、前述のスリット３１Ａとからピン挿入溝３Ａが構成される。
【００２８】
端子部は、例えば銅等の弾性を有する導電性材料から成り、ＬＥＤランプ１を回動した際に各ダミーピン１２Ａを機械的に保持するピン接触部（図示せず）を有する。なお、本実施形態のソケット３では、従来の蛍光灯用照明器具のように点灯装置Ａ１と端子部とを電線で接続していない。このため、ＬＥＤランプ１を各ソケット３に装着するだけでは、各保持用口金１２及びダミーピン１２Ａを介して発光部１０に点灯電力が給電されることはない。
【００２９】
以下、本実施形態におけるＬＥＤランプ１の装着方法について説明する。先ず、器具本体２のコネクタ２１をＬＥＤランプ１の接続部１１Ａに接続する。この時点では、インターロックスイッチ１４の押釦部１４Ｂは、付勢ばね１４Ｄの付勢力により押し込み向きと逆向きに付勢されているため、接点部１４Ｃは開成している。したがって、点灯装置Ａ１からＬＥＤランプ１の発光部１０への給電経路が一部しか確立していないので、発光部１０が点灯することはない。
【００３０】
次に、ＬＥＤランプ１の各ダミーピン１２Ａをソケット３のピン挿入溝３Ａに挿入する。この時点では、インターロックスイッチ１４もピン挿入溝３Ａに挿入されているため、ソケット３から押釦部１４Ｂを押圧する力は加わらず、接点部１４Ｃは開成したままである。その後、ＬＥＤランプ１を時計回りに回動すると、各ダミーピン１２Ａに押されて回転子３２も時計回りに回動し、各ダミーピン１２Ａが端子部に機械的に保持されてＬＥＤランプ１が各ソケット３に装着される。
【００３１】
このとき、インターロックスイッチ１４の押釦部１４Ｂが突部３１Ｂの傾斜面３１Ｃ上を摺動して突部３１Ｂの頂部へと案内される。そして、押釦部１４Ｂが突部３１Ｂの頂部に達すると、当該頂部に押圧されることで押釦部１４Ｂが付勢ばね１４Ｄの付勢力に抗って押し込まれる。すると、接点部１４Ｃが閉成するため、点灯装置Ａ１からＬＥＤランプ１の発光部１０への給電経路が確立し、発光部１０が点灯する。
【００３２】
上述のように、本実施形態では、コネクタ２１が接続部１１Ａに接続されていたとしても、インターロックスイッチ１４の押釦部１４Ｂが押し込まれない限りは点灯装置Ａ１から発光部１０へ点灯電力が供給されることがない。すなわち、本実施形態では、給電用のコネクタ２１が接続されている状態で、ＬＥＤランプ１がソケット３に装着されるまでの間は発光部１０に点灯電力が供給されるのを防ぐことができる。このため、ＬＥＤランプ１をソケット３に装着する前にＬＥＤランプ１が点灯することがなく、ＬＥＤランプ１の発熱によりＬＥＤランプ１を手で持ち難く、ＬＥＤランプ１をソケット３に装着する作業が困難になるという問題が生じ得ない。
【００３３】
（実施形態３）
以下、本発明に係る照明装置の実施形態３について図面を用いて説明する。但し、本実施形態の基本的な構成は実施形態１と共通であるので、共通する部位には同一の番号を付して説明を省略する。また、以下のソケット４の説明では、図４（ａ）に示す矢印の向きにより上下左右方向、及び前後方向を定めるものとする。本実施形態は、図４（ａ）に示すように、実施形態１のソケット２０の代わりにプランジャ式のソケット４を用いている。
【００３４】
ソケット４は、図４（ｂ）に示すように、ボディ４１及びカバー４２から成る器体４０と、プランジャ４３と、１対の端子部４４とを備える。器体４０は、前面が開口するとともに、上部が他の部位に比べて前方に突出した側面視Ｌ字状の箱状のボディ４１と、ボディ４１の開口を塞ぐ形でボディ４１に取付けられるカバー４２とで構成される。ボディ４１上部の左右方向における両端部には、器具本体２にソケット４を取り付けるための取付溝４１Ａが前後方向に沿って設けられている。
【００３５】
カバー４２は、ボディ４１の開口と同形状に形成された板状のカバー本体４２Ａと、カバー本体４２Ａの上部に一体に設けられてボディ４１の上記突出部位の開口を閉塞するＬ字状の突片４２Ｂとを備える。また、カバー本体４２Ａの後面からは、後述するプランジャ４３の左右方向への移動と回転とを規制するリブ４２Ｂが後向きに突出する形で一体に設けられている。カバー本体４２Ａには、プランジャ４３を挿通させるための円形状の挿通孔４２Ｄが設けられている。
【００３６】
プランジャ４３は、カバー４２の挿通孔４２Ｄよりも僅かに小さい外形寸法に形成された円板状のプランジャ本体４３Ａを有し、プランジャ本体４３Ａの後部には、外鍔４３Ｂが一体に設けられている。プランジャ本体４３Ａの前面には、ＬＥＤランプ１の各ダミーピン１２Ａを挿通させる１対のピン挿通孔４３Ｃが設けられている。このプランジャ４３は、カバー４２の挿通孔４２Ｄの開口周縁に外鍔４３Ｂが当接することで、前方への移動が規制されるようになっている。
【００３７】
端子部４４は、例えば銅等の弾性を有する導電性材料から成り、ＬＥＤランプ１のダミーピン１２Ａが弾性接触する端子片４４Ａが一体に折り曲げて形成されている。各端子片４４Ａは、その後側に設けられたばね体４５により何れも前向きに付勢されている。したがって、プランジャ４３も端子片４４を介してばね体４５によって前向きに付勢される。なお、本実施形態のソケット４では、従来の蛍光灯用照明器具のように点灯装置Ａ１と端子部４４とを電線で接続していない。このため、ＬＥＤランプ１を各ソケット４に装着するだけでは、各保持用口金１２及びダミーピン１２Ａを介して発光部１０に点灯電力が給電されることはない。
【００３８】
以下、本実施形態におけるＬＥＤランプ１の装着方法について説明する。なお、本実施形態では、一方のソケット４は、プランジャ４３が前後方向に沿って移動自在である可動側のソケットとなっているが、他方のソケット４は、プランジャ４３が固定されている固定側のソケットとなっている。
【００３９】
先ず、器具本体２のコネクタ２１をＬＥＤランプ１の接続部１１Ａに接続する。この時点では、インターロックスイッチ１４の押釦部１４Ｂは、付勢ばね１４Ｄの付勢力により押し込み向きと逆向きに付勢されているため、接点部１４Ｃは開成している。したがって、点灯装置Ａ１からＬＥＤランプ１の発光部１０への給電経路が一部しか確立していないので、発光部１０が点灯することはない。
【００４０】
次に、インターロックスイッチ１４が設けられていない側（以下、単に「一方」と呼ぶ）の保持用口金１２の各ダミーピン１２Ａを可動側のソケット４のピン挿通孔４３Ｃに挿入し、一方の保持用口金１２を後方へと押し込む。すると、当該プランジャ４３がばね体８の付勢力に抗って後方へと移動するため、インターロックスイッチ１４が設けられている側（以下、単に「他方」と呼ぶ）の保持用口金１２と固定側のソケット４との間の距離が広がる。これにより、他方の保持用口金１２の各ダミーピン１２Ａを固定側のソケット４のピン挿通孔４３に挿入可能となる。そして、他方の保持用口金１２の各ダミーピン１２Ａを固定側のソケット４のピン挿通孔４３に挿入し、先述の一方の保持用口金１２を後方へと押し込む力を解除することで、ＬＥＤランプ１が各ソケット４に装着される。
【００４１】
このとき、固定側のソケット４では、インターロックスイッチ１４の押釦部１４Ｂがプランジャ４３に当接し、プランジャ４３に押圧されることで押釦部１４Ｂが付勢ばね１４Ｄの付勢力に抗って押し込まれる。すると、接点部１４Ｃが閉成するため、点灯装置Ａ１からＬＥＤランプ１の発光部１０への給電経路が確立し、発光部１０が点灯する。
【００４２】
上述のように、本実施形態では、コネクタ２１が接続部１１Ａに接続されていたとしても、インターロックスイッチ１４の押釦部１４Ｂが押し込まれない限りは点灯装置Ａ１から発光部１０へ点灯電力が供給されることがない。すなわち、本実施形態では、給電用のコネクタ２１が接続されている状態で、ＬＥＤランプ１がソケット４に装着されるまでの間は発光部１０に点灯電力が供給されるのを防ぐことができる。このため、ＬＥＤランプ１をソケット４に装着する前にＬＥＤランプ１が点灯することがなく、ＬＥＤランプ１の発熱によりＬＥＤランプ１を手で持ち難く、ＬＥＤランプ１をソケット４に装着する作業が困難になるという問題が生じ得ない。
【００４３】
なお、コネクタ２１を接続部１１Ａに接続していない状態でＬＥＤランプ１を各ソケット４に装着する際に、誤って可動側のソケット４に一方の保持用口金１２を装着する虞がある。この場合は、コネクタ２１と接続部１１Ａとの距離が遠くなってコネクタ２１を接続部１１Ａに接続することができないため、インターロックスイッチ４の押釦部１４Ｂが押し込まれても給電経路が確立することがない。したがって、不意にＬＥＤランプ１が点灯するのを防止することができる。
【符号の説明】
【００４４】
１  ＬＥＤランプ（光源）
１０  発光部
１１Ａ  接続部
１２  保持用口金
１２Ａ  ダミーピン（ランプピン）
１４  インターロックスイッチ
２  器具本体
２０  ソケット
Ａ１  点灯装置
【図１】
0005842133.tif 000002
【図２】
0005842133.tif 000003
【図３】
0005842133.tif 000004
【図４】
0005842133.tif 000005